(57)【要約】      （修正有）【課題】二重構造シャワーヘッドに湯水を供給する為、元の高温水及び冷水を取り出せる口を２箇所設け、配管取り付けを簡便で確実なものにした湯水混合水栓装置を提供する。【解決手段】湯水混合水栓装置の下部に、高温水供給パイプ１から供給される高温水と冷水供給パイプ２から供給される冷水と同じ温度と圧力で容易に取り出せる様に、高温水取り出し口３及び冷水水取り出し口４を設けたものとした。通常の浴槽に設備されている給湯・給水源を利用して、容易に入手出来る配管部品を使用して、簡単に二重構造シャワーヘッドに湯水を供給できる装置となる。【選択図】図２
0003148258.tif 000002
【実用新案登録請求の範囲】
【請求項１】
湯水を夫々個別の温度と圧力で同時に噴射・放出させることが出来る二重構造シャワーヘッドシステムにおいて、湯水混合水栓装置の下部に付加して、高温水及び冷水を取り出せる口を２箇所有することを特徴とする湯水混合水栓装置
【考案の詳細な説明】
【技術分野】
【０００１】  本考案は、二重構造シャワーヘッドに湯水を供給する為の湯水混合水栓装置に関するものである。
【背景技術】
【０００２】  入浴時に使用されているシャワーヘッドを改善し、効率良くストレスを解消することが求められている。また同時に高圧噴射により、局部マッサージを素早く、局部洗浄を能率よく行われることが求められている。【０００３】  シャワーヘッドは中央部のノズルからは高温水を噴射することができ、同時に外周穴から冷水を放出できる二重構造に成っていて、中央部のノズルから噴射した高温水を単独では熱すぎる感じる時でも、外周から放出される冷水によりその熱さを即座に緩和するのに役立つ構造となったものが考案されている。  その内容において、二重構造シャワーヘッドとそれに湯水を供給する為の湯水混合水栓装置に付加して設備する送水口補助装置が既に考案されている。【特許文献１】登録実用新案第３１２５３９１号
【特許文献１】登録実用新案第３１３８９９５号
【０００４】  上記の考案において、通常の湯水混合水栓装置に附加して使用する送水口補助装置として３方向タイプや４方向タイプが考案されているが、装置が大がかりとなり、取り付けなどに不便であった。【０００５】  又、従来のこれらのものは配管接続が難しく、接続箇所も多く、水漏れが起りやすい構造となっていた。
【考案の開示】
【考案が解決しようとする課題】
【０００６】  二重構造シャワーヘッドに湯水を供給する湯水混合水栓装置を簡単で、水漏れの少ない確実なものにすること。
【課題を解決するための手段】
【０００７】  図１に示す如く、二重構造シャワーヘッドに湯水を供給する為に、新たに取り出し口３，４を設けた湯水混合水栓装置５を考案した。取り出し口３、４にはユニオン式接続コネクター３ａ、４ａが取り付けてあるので、簡単にエルボー３４ｅを接続でき、高温水水量調整用バルブ３４にも、容易に接続できる。  フレキシブルパイプ５７ａの両端もユニオン式接続コネクター５７となっているので容易に接続できる。【０００８】  図１において、高温水はパイプ１から供給され、冷水はパイプ２から供給される。湯水混合水栓装置５の混合バルブハンドル５ａを調整し、５ｂを切り替えて、供給口５ｃから冷水を取り出すことが出来る。適切な温度の冷水は５７ａのホースを通り、５０の内部、８の内部、９の内部を流れ、外周穴１１から放出される。【０００９】  図１において、パイプ１から供給された高温水とパイプ２から供給された冷水は、それぞれ取り出し口３から高温水を、取り出し口４から冷水を取り出すことが出来る．高温水と冷水は３４の混合バルブに流れ、適切な温度の高温水とすることができる。そして送水口補助装置５０に送ることが出来る。【００１０】  図１において、３４から５０に流れ込んだ高温水はホース８の内部ホース８１に流れ、シャワーヘッド９の内部ホース９１に流れる。高温水は二重構造シャワーヘッド９の中央部噴射ノズル１０から噴射される。【００１１】  図３は二重構造シャワーヘッド９の断面図を示したもので、中央部に高温水を噴射する為の突起したノズル１０を有し、其の外周に冷水を放出する穴１１を持った構造となっている。内部ホース８１は９１に繋がり、ホース８の内惻８２を流れる冷水はシャワーヘッド９の内側９２に流れる構造になっている。【００１２】  図２は本考案の湯水混合水栓装置で、通常のシャワーヘッドの場合は、５ｃから湯水混合水を取り出して使うが、新たに設けた湯水取り出し口３，４は、高温水と冷水が混ざることなく、３４に供給できる。【００１３】  図４において、３４で調整された高温水は５０の内部にある細いパイプ５１の内部に流れ、５ｃから流れた冷水は５０の内側５２に流れので、夫々高温水と冷水を別々にシャワーヘッドに送ることが出来る構造と成っている。
【実施例】
【００１４】  図１に示す如く既設の湯水混合水栓装置の高温水パイプ１と冷水パイプ２の配管距離は通常１５ｃｍであり、送水口補助装置３４に供給される湯水取り出し口３，４の取り出し距離が１５ｃｍとしてある。【００１５】  図１に示す如く、通常のシャワーホースに内部ホース８１を追加挿入すれば、二重構造シャワーヘッドを使用出来るものとなる。
【考案の効果】
【００１６】  本考案の湯水混合水栓装置５と送水口補助装置３４を使用して、二重構造シャワーヘッドに、個別の温度と圧力の湯水を供給できる。
【００１７】  通常の浴槽に設備されている給湯・給水源を利用して、容易に入手出来る配管部品を使用して、簡単に二重構造シャワーヘッドに湯水を供給できる装置となる。
【００１８】各バルブを調整して、中央部ノズル１１のみを使用すれば、ノズルからの噴射による洗浄に大いに役立つものとなる。
【００１９】また、それぞれのバルブ調整により、通常のシャワーヘッドとしても利用できる。
【考案を実施するための最良の形態】
【００２０】図１、図２、図３、図４で述べてきた方法が最も良い方法である。
【産業上の利用可能性】
【００２１】特になし
【図面の簡単な説明】
【００２２】
【図１】は本考案の湯水混合水栓装置の機能説明図面
【図２】は本考案の湯水混合水栓装置の詳細図面
【図３】は二重構造シャワーヘッドの断面図面の一例
【図４】は二重構造シャワーヘッド用の送水口補助装置の一例
【符号の説明】
【００２３】１．高温水供給パイプ  １ａ．高温水給水口接続ユニオン２．冷水供給パイプ    ２ａ．冷水供給口接続ユニオン３．高温水取り出し口  ３ａ．高温水取り出し接続ユニオン４．冷水水取り出し口  ４ａ．冷水取り出し接続ユニオン５．湯水混合水栓装置  ５ａ．湯水混合バルブハンドル  ５ｂ．シャワーヘッド給水／バスタブ給水切り替えコック  ５ｃ．シャワーヘッド給水口  ５ｄ．バスタブ用蛇口５０．送水口補助装置  ５１．水口補助装置内部パイプ  ５２．送水口補助装置の内側  ５５．送水口補助装置内部パイプ接続金物  ５６．送水口補助装置用パッキン類  ５７．送水口補助装置接続コネクター類  ５７ａ．冷水供給ホース３４ａ．高温水水量調整用バルブ３４ｂ．冷水水量調整用バルブ３４ｅ．エルボー８．シャワーヘッドホース  ８１．シャワーヘッドホース内部ホース  ８２．シャワーヘッドホースの内側９．二重構造シャワーヘッド  ９１．シャワーヘッド内部ホース  ９２．シャワーヘッド内側１０．シャワーヘッド中央部噴射ノズル１１．シャワーヘッド外周穴
【図１】
0003148258.tif 000003
【図２】
0003148258.tif 000004
【図３】
0003148258.tif 000005
【図４】
0003148258.tif 000006